(57)【特許請求の範囲】
【請求項１】
複数の利用者が利用するエリアを複数のゾーンに分割し、これらゾーンに存在する利用者が携帯する移動端末から無線送信された空調制御に対する要望を、前記ゾーンのそれぞれに設けられた無線基地局で受信して、空調コントローラにより、これら要望を前記ゾーンごとに集計し、得られた集計結果に基づいて前記ゾーンのそれぞれに設けられた空調機器を制御する空調制御システムであって、
前記無線基地局に対してアクセスが許可されている前記移動端末が予め登録されている許可リストを保持するリスト保持部と、
前記許可リストの登録内容に基づいて、前記無線基地局で受信した前記要望のそれぞれが、前記要望を受信した前記無線基地局に対してアクセスが許可されている移動端末からの有効要望か否かを判定する要望判定部と、
前記要望のうち前記有効要望と判定された要望のみを前記ゾーンごとに集計する要望集計部と、
前記ゾーンごとに得られた前記要望の集計結果に基づいて、前記ゾーンのそれぞれに設けられた前記空調機器を制御する空調制御部と
を備えることを特徴とする空調制御システム。
【請求項２】
請求項１に記載の空調制御システムにおいて、
前記空調コントローラは、前記要望判定部、前記要望集計部、および前記空調制御部を含み、
前記要望判定部は、前記無線基地局のそれぞれで受信された前記要望のすべてを収集して、これら要望のそれぞれについて前記有効要望か否かを判定する
ことを特徴とする空調制御システム。
【請求項３】
請求項１に記載の空調制御システムにおいて、
前記空調コントローラは、前記要望集計部および前記空調制御部を含み、
前記無線基地局のそれぞれは、前記要望判定部を含み、自局で受信した前記要望のそれぞれについて前記有効要望か否かを前記要望判定部で判定し、有効要望と判定された要望のみを前記空調コントローラへ転送する
ことを特徴とする空調制御システム。
【請求項４】
複数の利用者が利用するエリアを複数に分割して設けたゾーンごとに設置されている空調機器と、これら空調機器を一括して制御する空調コントローラとを備え、前記空調コントローラが、前記利用者が携帯する移動端末から収集した空調制御に対する要望を、前記移動端末が位置する前記ゾーンごとに集計し、得られた集計結果に基づいて前記ゾーンのそれぞれに対応する前記空調機器を制御する空調制御システムであって、
前記ゾーンごとに前記要望の受付を許可する前記移動端末を示す許可リストを保持するリスト保持部を備え、
前記空調コントローラは、前記移動端末から収集した前記要望を前記ゾーンごとに集計する際、前記許可リストの登録内容に基づいて、前記ゾーンにおいて受付が許可されている移動端末からの有効要望のみを集計する
ことを特徴とする空調制御システム。
【請求項５】
複数の利用者が利用するエリアを複数に分割して設けたゾーンごとに設置されている空調機器と、これら空調機器を一括して制御する空調コントローラとを備える空調制御システムで用いられる空調制御方法であって、
前記利用者が携帯する移動端末から収集した空調制御に対する要望を、前記移動端末が位置する前記ゾーンごとに集計する要望集計ステップと、
前記ゾーンごとに得られた前記要望の集計結果に基づいて、前記ゾーンのそれぞれに設けられた前記空調機器を制御する空調制御ステップとを備え、
前記要望集計ステップは、前記ゾーンごとに前記要望を集計する際、前記要望の受付を許可する前記利用者の移動端末が前記ゾーンごとに予め登録されている許可リストの登録内容に基づいて、前記ゾーンにおいて受付が許可されている移動端末からの有効要望のみを集計する
ことを特徴とする空調制御方法。
【発明の詳細な説明】
【技術分野】
【０００１】
本発明は、空調制御技術に関し、特に移動端末から通知された要望に基づいて、移動端末が位置するゾーンの空調を制御する空調制御技術に関する。
【背景技術】
【０００２】
従来、オフィスビルのように、広い床面積を有するエリアに存在する多数の利用者に対して、より良い空調サービスを提供する技術として、各利用者からの空調制御に対する要望を受け付ける技術が提案されている。
【０００３】
例えば、特許文献１の技術では、エリアを複数のゾーンに区分して、これらゾーンごとに空調装置と空調制御装置とを設置した上で、各ゾーンに配置されている固定端末や利用者が携帯する移動端末から、それぞれの利用者が設定した当該ゾーンにおける所望の室温設定値を定期的に収集し、これら室温設定値を集計して多数決することにより各ゾーンにおける代表室温設定値を特定し、これら代表室温設定値に基づいて個々のゾーンにおける空調環境を制御している。
【先行技術文献】
【特許文献】
【０００４】
【特許文献１】特開２０１３−２５３７７８号公報
【発明の概要】
【発明が解決しようとする課題】
【０００５】
しかしながら、このような従来技術では、固定端末や移動端末の位置に基づいて、これら端末から集計した室温設定値を、どのゾーンの代表室温設定値の特定に用いるかを決定している。したがって、利用者が移動端末を携帯して他のゾーンへ一時的に移動した場合、利用者の意図とは別個に、移動端末に設定されている移動元ゾーンにおける室温設定値が、移動先ゾーンにおける室温設定値として収集されて、移動先ゾーンにおける代表室温設定値の特定に用いられてしまうことになる。このため、移動先ゾーンにおける代表室温設定値に誤差が生じて、移動先ゾーンに本来存在する利用者の要望を反映した空調環境を提供することができないという問題点があった。
【０００６】
本発明はこのような課題を解決するためのものであり、ゾーン間を利用者が移動端末を携帯して移動する場合でも、移動端末から収集した利用者の要望に応じて、利用者の要望を反映した空調環境を提供できる空調制御技術を提供することを目的としている。
【課題を解決するための手段】
【０００７】
このような目的を達成するために、本発明にかかる空調制御システムは、複数の利用者が利用するエリアを複数のゾーンに分割し、これらゾーンに存在する利用者が携帯する移動端末から無線送信された空調制御に対する要望を、前記ゾーンのそれぞれに設けられた無線基地局で受信して、空調コントローラにより、これら要望を前記ゾーンごとに集計し、得られた集計結果に基づいて前記ゾーンのそれぞれに設けられた空調機器を制御する空調制御システムであって、前記無線基地局に対してアクセスが許可されている前記移動端末が予め登録されている許可リストを保持するリスト保持部と、前記許可リストの登録内容に基づいて、前記無線基地局で受信した前記要望のそれぞれが、前記要望を受信した前記無線基地局に対してアクセスが許可されている移動端末からの有効要望か否かを判定する要望判定部と、前記要望のうち前記有効要望と判定された要望のみを前記ゾーンごとに集計する要望集計部と、前記ゾーンごとに得られた前記要望の集計結果に基づいて、前記ゾーンのそれぞれに設けられた前記空調機器を制御する空調制御部とを備えている。
【０００８】
また、本発明にかかる上記空調制御システムの一構成例は、前記空調コントローラが、前記要望判定部、前記要望集計部、および前記空調制御部を含み、前記要望判定部は、前記無線基地局のそれぞれで受信された前記要望のすべてを収集して、これら要望のそれぞれについて前記有効要望か否かを判定するようにしたものである。
【０００９】
また、本発明にかかる上記空調制御システムの一構成例は、前記空調コントローラが、前記要望集計部および前記空調制御部を含み、前記無線基地局のそれぞれは、前記要望判定部を含み、自局で受信した前記要望のそれぞれについて前記有効要望か否かを前記要望判定部で判定し、有効要望と判定された要望のみを前記空調コントローラへ転送するようにしたものである。
【００１０】
また、本発明にかかる他の空調制御システムは、複数の利用者が利用するエリアを複数に分割して設けたゾーンごとに設置されている空調機器と、これら空調機器を一括して制御する空調コントローラとを備え、前記空調コントローラが、前記利用者が携帯する移動端末から収集した空調制御に対する要望を、前記移動端末が位置する前記ゾーンごとに集計し、得られた集計結果に基づいて前記ゾーンのそれぞれに対応する前記空調機器を制御する空調制御システムであって、前記ゾーンごとに前記要望の受付を許可する前記移動端末を示す許可リストを保持するリスト保持部を備え、前記空調コントローラは、前記移動端末から収集した前記要望を前記ゾーンごとに集計する際、前記許可リストの登録内容に基づいて、前記ゾーンにおいて受付が許可されている移動端末からの有効要望のみを集計するようにしたものである。
【００１１】
また、本発明にかかる空調制御方法は、複数の利用者が利用するエリアを複数に分割して設けたゾーンごとに設置されている空調機器と、これら空調機器を一括して制御する空調コントローラとを備える空調制御システムで用いられる空調制御方法であって、前記利用者が携帯する移動端末から収集した空調制御に対する要望を、前記移動端末が位置する前記ゾーンごとに集計する要望集計ステップと、前記ゾーンごとに得られた前記要望の集計結果に基づいて、前記ゾーンのそれぞれに設けられた前記空調機器を制御する空調制御ステップとを備え、前記要望集計ステップは、前記ゾーンごとに前記要望を集計する際、前記要望の受付を許可する前記利用者の移動端末が前記ゾーンごとに予め登録されている許可リストの登録内容に基づいて、前記ゾーンにおいて受付が許可されている移動端末からの有効要望のみを集計するようにしたものである。
【発明の効果】
【００１２】
本発明によれば、移動端末から無線送信された要望をゾーンごとに集計する際、受け付けるべきゾーンから通知された要望、すなわち空調環境を制御する権限を持つ利用者からの要望のみが、ゾーンごとに集計されることになる。したがって、ゾーン間を利用者が移動端末を携帯して移動する場合でも、移動端末から収集した利用者の要望に応じて、利用者の要望を反映した空調環境を提供することが可能となる。
【図面の簡単な説明】
【００１３】
【図１】空調制御システムの構成を示すブロック図である。
【図２】許可リストの構成例である。
【図３】空調制御動作を示すシーケンス図である。
【発明を実施するための形態】
【００１４】
次に、本発明の一実施の形態について図面を参照して説明する。
［空調制御システム］
まず、図１を参照して、本実施の形態にかかる空調制御システム１について説明する。図１は、空調制御システムの構成を示すブロック図である。
この空調制御システム１は、複数の利用者が利用するエリアを複数のゾーン＃１，＃２，〜，＃Ｎ（Ｎは２以上の整数）に分割し、空調コントローラ１０で、これらゾーンに存在する利用者が携帯する移動端末Ｍから、無線基地局ＡＰおよび通信回線Ｌ１を介して収集した空調制御に対する要望をゾーンごとに集計し、得られた集計結果に基づいて各ゾーンに設けられているＶＡＶ（Variable Air Volume：可変定風量装置）などの空調機器Ｖを通信回線Ｌ２を介して制御するシステムである。
【００１５】
一般に、ある部屋に設置されているエアコンのリモコン操作は、エアコンの空調制御対象となる領域で行われる。わざわざ別の部屋に移動して元の部屋のエアコンをリモコン操作することはない。もし、別の部屋からのリモコン操作を受け付けた場合、元の部屋にいる利用者が意図しない空調環境へ、勝手に変更されることになる。したがって、リモコンには本来操作すべき領域、すなわち利用者が空調環境を制御する権限を持つ領域が存在していることになる。
【００１６】
本発明のように、複数の利用者が利用するエリアを複数のゾーンに分割して、それぞれのゾーンごとに空調制御を行う場合も同様である。あるゾーンの空調制御を移動端末Ｍから操作する場合、わざわざ別のゾーンに移動して元のゾーンの空調制御を移動端末Ｍから操作することはない。したがって、移動端末Ｍには本来操作すべき領域が存在していることになる。
【００１７】
本発明は、移動端末Ｍからの要望を受け付けるべきゾーンが存在すること、換言すれば、利用者が空調環境を制御する権限を持つゾーンがあることに着目し、移動端末Ｍからの要望が、受け付けるべきゾーンから通知されたものかどうかを判定し、受け付けるべき領域から通知された要望のみを集計するようにしたものである。
【００１８】
より具体的には、ゾーンごとに要望の受付を許可する移動端末Ｍを示す許可リストを保持するリスト保持部２１を備え、空調コントローラ１０は、移動端末Ｍから収集した要望をゾーンごとに集計する際、許可リストの登録内容に基づいて、ゾーンにおいて受付が許可されている移動端末Ｍからの有効要望のみを集計するようにしたものである。
【００１９】
［空調コントローラ］
空調コントローラ１０は、全体として産業用のコントローラからなり、予め設定されているプログラムを実行することにより、各ゾーンの空調制御を行う機能を有している。
空調コントローラ１０には、主な機能部として、要望判定部１１、要望集計部１２、空調制御部１３が設けられている。
【００２０】
要望判定部１１は、データベース装置２０のリスト保持部２１で保持されている許可リストの登録内容に基づいて、通信回線Ｌ１を介して各無線基地局ＡＰから収集した要望のそれぞれが、要望を受信した無線基地局ＡＰに対してアクセスが許可されている移動端末Ｍからの有効要望か否かを判定する機能を有している。要望はパケットによりやり取りされるため、その要望を送信した移動端末Ｍのアドレスなどの移動端末識別情報が含まれているとともに、受信した無線基地局ＡＰのアドレスなどの無線基地局識別情報が含まれている。したがって、これら移動端末識別情報と無線基地局識別情報とに基づいて許可リストを参照すれば、移動端末Ｍが無線基地局ＡＰに対してアクセスが許可されているか否かを判定できる。
【００２１】
要望集計部１２は、無線基地局ＡＰから収集した要望のうち、要望判定部１１により有効要望と判定された要望のみをゾーンごとに集計する機能を有している。要望が室温設定値からなる場合、各要望に含まれる室温設定値の平均値や最頻値（多数決方式）など、これら室温設定値を代表する代表値を統計処理により集計結果として計算すればよい。集計結果の計算方法については、これに限定されるものではなく、例えば特許文献１などの公知の技術を用いればよい。
【００２２】
空調制御部１３は、要望集計部１２でそれぞれのゾーンごとに得られた集計結果に基づいて、各ゾーンに設けられている空調機器Ｖの設定内容、例えば室温設定値を変更することにより、各ゾーンにおける空調環境を制御する機能を有している。
【００２３】
［データベース装置］
データベース装置２０は、全体としてサーバ装置などの情報記憶装置からなり、通信回線Ｌ１を介して空調コントローラ１０や管理端末３０と、データ通信可能に接続されている。
データベース装置２０には、主な機能部として、リスト保持部２１が設けられている。
【００２４】
リスト保持部２１は、無線基地局ＡＰごとに、無線基地局ＡＰに対してアクセスが許可されている移動端末Ｍが登録された許可リストを保持する機能と、空調コントローラ１０からの照会要求に応じて、無線基地局ＡＰに対する移動端末Ｍのアクセス可否を照会結果として返送する機能とを有している。
図２は、許可リストの構成例である。ここでは、ゾーンごと、すなわち無線基地局ＡＰに固有の無線基地局識別情報ごとに、そのゾーンすなわち無線基地局ＡＰにアクセス可能な移動端末Ｍを示す移動端末識別情報が登録されている。
【００２５】
許可リストは、利用者がどのゾーンの空調環境を制御する権限を持つか否かを表している。例えば、利用者が常在するゾーンや頻繁に利用するゾーンについては、空調環境を制御する権限を与え、利用者が一時的にしか利用しないゾーンや単に通過するだけのゾーンについては、空調環境を制御する権限を与えない。このような権限有無をアクセス許可有無として、利用者の移動端末Ｍと関連付けて許可リストに登録される。
なお、リスト保持部２１については、空調コントローラ１０に実装してもよく、後述するように各無線基地局ＡＰへ分割して設定してもよい。
【００２６】
［管理端末］
管理端末３０は、全体としてパーソナルコンピュータなどの情報処理端末からなり、通信回線Ｌ１を介して管理端末３０とデータ通信可能に接続されている。オペレータ操作に応じて、リスト保持部２１の許可リストを登録編集する機能を有している。
【００２７】
［移動端末］
移動端末Ｍは、全体として利用者のＩＤカード、スマートホン、携帯電話などの各利用者が携帯する通信端末からなり、利用者操作に応じて空調制御に対する要望、例えば室温設定値、室温の上げ下げ指示、あるいは寒い・暑いなどの冷温感などからなる要望を記憶し、通知周期ごとに無線送信する機能を有している。
【００２８】
［無線基地局］
無線基地局ＡＰは、全体として移動端末Ｍとの間で、電波や赤外線などを用いて無線通信を行う無線アクセスポイントからなり、移動端末Ｍが無線送信された要望などのデータを、宛先として指定された空調コントローラ１０などの装置へ転送する機能を有している。空調制御システム１において、移動端末Ｍから空調コントローラ１０に対して一方向に要望を送信するだけの場合には、無線基地局ＡＰとして送信機能のない受信機器を用いてもよい。
【００２９】
［本実施の形態の動作］
次に、図３を参照して、本実施の形態にかかる空調制御システム１の動作について説明する。図３は、空調制御動作を示すシーケンス図である。
空調制御システム１は、一定の通知周期で図３の空調制御動作を実行する。
【００３０】
まず、各ゾーン＃１，＃２，〜，＃Ｎに位置する移動端末Ｍは、通知周期の到来に応じて、あるいは通知周期に基づく無線基地局ＡＰからの通知要求に応じて、利用者が操作入力した空調制御に対する要望、例えば室温設定値、室温の上げ下げ指示、あるいは寒い・暑いなどの冷温感などからなる要望を、無線送信する（ステップ１００）。
これら要望は、移動端末Ｍが位置するゾーンの無線基地局ＡＰで受信され、通信回線Ｌ１を介して空調コントローラ１０へ転送される（ステップ１０１）。
【００３１】
空調コントローラ１０の要望判定部１１は、各無線基地局ＡＰから収集した要望のそれぞれについて、その要望を送信した移動端末Ｍの識別情報と、その要望が受信された無線基地局ＡＰの識別情報とを確認し、通信回線Ｌ１を介してデータベース装置２０へ、無線基地局ＡＰに対する移動端末Ｍのアクセス可否に関する照会を要求する（ステップ１０２）。
データベース装置２０のリスト保持部２１は、この照会要求に応じて許可リストを参照し、指定された無線基地局ＡＰに対する移動端末Ｍのアクセス可否を紹介結果として返送する。
【００３２】
要望判定部１１は、照会要求に応じてデータベース装置２０から返送された無線基地局ＡＰに対する移動端末Ｍのアクセス可否に基づいて、各無線基地局ＡＰから収集した要望のそれぞれが、その要望を受信した無線基地局ＡＰに対してアクセスが許可されている移動端末Ｍからの有効要望か否かを判定する（ステップ１０３）。
【００３３】
ここで、許可リストにおいて、無線基地局ＡＰに対して移動端末Ｍのアクセスが許可されており、無線基地局ＡＰから収集した要望が有効要望である場合（ステップ１０３：ＹＥＳ）、要望判定部１１は、当該要望を要望集計部１２へ出力する（ステップ１０４）。
【００３４】
一方、許可リストにおいて、無線基地局ＡＰに対して移動端末Ｍのアクセスが許可されておらず、無線基地局ＡＰから収集した要望が有効要望でない場合（ステップ１０３：ＮＯ）、要望判定部１１は、当該要望を破棄する（ステップ１０５）。
これにより、許可リストにおいて予め登録された、ゾーンの空調環境を制御する権限を持つ利用者からの要望のみが選択されて集計されることになる。
【００３５】
続いて、要望集計部１２は、各無線基地局ＡＰで受信した要望のうち、要望判定部１１により有効要望と判定された要望のみをゾーンごとに集計し（ステップ１１０）、これら集計結果を空調制御部１３へ出力する（ステップ１１１）。
【００３６】
この後、空調制御部１３は、要望集計部１２によりゾーンごとに得られた要望の集計結果、例えば室温設定値を、ゾーンのそれぞれに設けられた空調機器Ｖに設定することにより、それぞれの空調機器Ｖを制御する（ステップ１１２）。これにより、各ゾーンにおける空調環境が、当該ゾーンの空調環境を制御する権限を有する利用者からの要望に応じて制御されることになる。
【００３７】
［本実施の形態の効果］
このように、本実施の形態は、リスト保持部２１が、無線基地局ＡＰに対してアクセスが許可されている移動端末Ｍが予め登録されている許可リストを保持し、要望判定部１１が、許可リストの登録内容に基づいて、無線基地局ＡＰで受信した要望のそれぞれが、要望を受信した無線基地局ＡＰに対してアクセスが許可されている移動端末Ｍからの有効要望か否かを判定し、要望集計部１２が、要望のうち有効要望と判定された要望のみをゾーンごとに集計し、空調制御部１３が、ゾーンごとに得られた要望の集計結果に基づいて、ゾーンのそれぞれに設けられた空調機器Ｖを制御するようにしたものである。
【００３８】
これにより、移動端末Ｍから無線送信された要望をゾーンごとに集計する際、受け付けるべきゾーンから通知された要望、すなわち空調環境を制御する権限を持つ利用者からの要望のみが、ゾーンごとに集計されることになる。
したがって、ゾーン間を利用者が移動端末Ｍを携帯して移動する場合でも、移動端末Ｍから収集した利用者の要望に応じて、利用者の要望を反映した空調環境を提供することが可能となる。
【００３９】
また、本実施の形態において、空調コントローラ１０が、要望判定部１１、要望集計部１２、および空調制御部１３を含み、要望判定部１１が、無線基地局ＡＰのそれぞれで受信された要望のすべてを収集して、これら要望のそれぞれについて有効要望か否かを判定するようにしたので、既存の空調制御システムにおいて、空調コントローラ１０で実行するプログラムのみを変更するだけで本発明を実施することができる。このため、ハードウェアの変更を必要とすることなく、最低限の作業負担およびコストで、より良い空調制御を導入することが可能となる。
【００４０】
また、本実施の形態において、空調コントローラ１０が、要望集計部１２および空調制御部１３を含み、無線基地局ＡＰのそれぞれに要望判定部１１を設けて、自局で受信した要望のそれぞれについて有効要望か否かを要望判定部１１で判定し、有効要望と判定された要望のみを空調コントローラ１０へ転送するようにしてもよい。この際、前述と同様にして無線基地局ＡＰからデータベース装置２０へアクセス可否を照会してもよいが、予めデータベース装置２０から各無線基地局ＡＰへ、無線基地局ＡＰに関するアクセスの可否のみに関する分割許可リストをダウンロードして設定しておき、要望判定の際には、自局内に設定されている分割許可リストを参照するようにしてもよい。
【００４１】
これにより、各無線基地局ＡＰにおいて、受信した要望が有効要望か否かの判定が行われるため、既存の空調制御システムにおいて、無線基地局ＡＰで実行するプログラムのみを変更するだけで本発明を実施することができる。このため、ハードウェアの変更を必要とすることなく、最低限の作業負担およびコストで、より良い空調制御を導入することが可能となるとともに、空調コントローラ１０での処理負担を軽減できる。
【００４２】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００４３】
１…空調制御システム、１０…空調コントローラ、１１…要望判定部、１２…要望集計部、１３…空調制御部、２０…データベース装置、２１…リスト保持部、３０…管理端末、Ｍ…移動端末、ＡＰ…無線基地局、Ｖ…空調機器、Ｌ１，Ｌ２…通信回線。
【図１】
0006560634.tif 000002
【図２】
0006560634.tif 000003
【図３】
0006560634.tif 000004